【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
流体試料を採取するためにポイントオブケア流体検査システムを患者に連結するように構成された患者連結部と、
流体試料を患者からインライン検査領域に送り、検査後に一次流体経路指定部分からの流体試料の実質的な部分を患者に送り戻すように構成されるポンプ領域、流体試料の一部が一次流体経路指定部分の外に送られることを可能にするように構成される流体移送領域、および流体試料の少なくとも第一の特性を評価するように構成される第１のセンサを備えるインライン検査領域を有する一次流体経路指定部分と、
一次流体経路指定部分のポンプ領域と相互作用するポンプと、
流体移送領域を介して一次流体経路指定部分の外に送られる流体試料の一部を受容するように構成され、更に、流体試料の第二の特性を評価するように構成される第２のセンサを備えるオフライン検査部分を含む二次流体経路指定部分と、
インライン検査領域の第１のセンサおよびオフライン検査部分の第２のセンサの両方が配置されるハウジングを備える本体と、
流体試料を患者に送り戻した後に、システムを洗い流すためにシステムをフラッシュ流体に連結するように構成されたフラッシュ流体連結部とを含む、流体の特性を求めるためのポイントオブケア流体検査システム。
【請求項２】
流体試料の第一の特性および第二の特性に関する情報を受容装置に通信するように構成された通信装置を更に含む、請求項１に記載の流体検査システム。
【請求項３】
流体試料が血液を含む、請求項１に記載の流体検査システム。
【請求項４】
流体試料の第一の特性が、流体試料の血糖レベルを含む、請求項１に記載の流体検査システム。
【請求項５】
流体試料の第二の特性が、流体試料の凝固速度を含む、請求項１に記載の流体検査システム。
【請求項６】
通信装置が受容装置と無線通信する、請求項２に記載の流体検査システム。
【請求項７】
受容装置が注入ポンプを含む、請求項２に記載の流体検査システム。
【請求項８】
第２のセンサが、複数の検査にわたって連続的に用いられる複数の検査センサを有するセンサパックを含む、請求項１に記載の流体検査システム。
【請求項９】
ポンプがぜん動性である、請求項１に記載の流体検査システム。
【請求項１０】
第一の特性と第二の特性とが同じである、請求項１に記載の流体検査システム。
【請求項１１】
第一の特性と第二の特性とが異なる、請求項１に記載の流体検査システム。
【請求項１２】
流体移送領域が、一次流体経路指定部分のポンプ領域とインライン検査領域との間に配置される、請求項１に記載の流体検査システム。
【請求項１３】
第１のセンサが光センサを備え、該光センサが、インライン検査領域の近位の一次流体経路指定部分の光検出域と光通信するように配置され、一次流体経路指定部分の光検出域を通過する光の強度を示す出力を生成するように構成された、請求項１に記載の流体検査システム。
【請求項１４】
患者の流体試料の少なくとも２つの特性を評価する方法であって、
流体コネクタを患者に取り付けるステップと、
流体の特性を求めるための流体検査システムを提供するステップとを含み、前記流体検査システムが、患者連結部と、ポンプ領域、流体移送領域、および第１のセンサを備えるインライン検査領域を有する一次流体経路指定部分と、第２のセンサを備えるオフライン検査部分を含む二次流体経路指定部分と、通信装置とを有し、前記評価する方法が更に、
流体コネクタを検査システムの患者連結部に連結するステップと、
一次流体経路指定部分の第１のセンサおよび二次流体経路指定部分の第２のセンサをハウジングを備える本体の少なくとも１つの開口部内に設置するステップと、
流体試料を患者から検査装置の一次流体経路指定部分に引き込むために、検査システムのポンプ領域を用いて流体コネクタおよび患者連結部を介して流体試料を患者から採取するステップと、
流体試料の第一の特性を求めるために、一次流体経路指定部分のインライン検査領域における流体試料を分析するステップと、
流体試料の一部を、一次流体経路指定部分の流体移送部分を通じて二次流体経路指定部分のオフライン検査部分に移送するステップと、
オフライン検査部分で流体試料の第二の特性を求めるステップと、
流体試料を患者に送り戻すために検査システムのポンプ領域を用いて流体コネクタおよび患者連結部を介して、移送動作後に流体試料の残存部分を患者に戻すステップとを含む、方法。
【請求項１５】
流体試料の第一の特性および第二の特性を示すデータを、受容装置に無線送信するステップを更に含む、請求項１４に記載の方法。
【請求項１６】
流体試料の第一の特性および第二の特性の結果を、患者の電子医療記録に電子的に記録するステップを更に含む、請求項１５に記載の方法。
【請求項１７】
一次流体経路指定部分の流体移送領域および患者に連結された流体コネクタを洗い流すステップを含む、流体試料を除去するために流体検査システムをフラッシュ流体で洗い流すステップを更に含む、請求項１４に記載の方法。
【請求項１８】
流体コネクタが患者の動脈または静脈に取り付けられる、請求項１４に記載の方法。
【請求項１９】
求められた流体試料の第一の特性または流体試料の第二の特性に基づき、患者に与えられる少なくとも１つの薬剤投与量を変更するステップを更に含む、請求項１４に記載の方法。
【請求項２０】
一次流体経路指定部分のインライン検査領域を較正するために流体検査システムをフラッシュ流体で洗い流すステップを更に含む、請求項１４に記載の方法。
【請求項２１】
インライン検査領域における流体試料を分析するステップと、流体試料の一部を一次流体経路指定部分の流体移送部分を通じてオフライン検査部分に移送するステップとが、ほぼ同時に生じる、請求項１４に記載の方法。
【請求項２２】
流体試料がインライン検査領域で分析される間、流体フローが停止される、請求項１４に記載の方法。
【請求項２３】
光センサを備える第１のセンサを用いてインライン検査領域内の流体試料の識別を確認するステップを更に含む、請求項１４に記載の方法。
【請求項２４】
一次流体経路指定部分および二次流体経路指定部分が、両方とも使い捨て可能である、請求項１に記載の流体検査システム。
【請求項２５】
ハウジングが、インライン検査領域にアクセスするための一次流体経路指定部分アクセスドアと、一次流体経路指定部分を破壊することなくオフライン検査部分にアクセスするための二次流体経路指定部分アクセスドアとを備える、請求項１に記載の流体検査システム。
【請求項２６】
ハウジングを患者に取り付けための部材をさらに備える、請求項１に記載の流体検査システム。
【請求項２７】
流体移送領域が、バルブプラグを備え、該バルブプラグは、バルブノズルから離れる第１の位置に移動されるように構成され、流体試料が、流体移送領域から二次流体経路指定部分へ流れ込むことを可能にし、前記バルブプラグは、バルブノズルに対して第２の位置に移動されるように構成され、流体試料が、二次流体経路指定部分内の流体移送領域に流れることを妨げる、請求項１に記載の流体検査システム。
【請求項２８】
さらにバルブピンおよびカムシャフトを備え、前記カムシャフトは、バルブプラグを第１の位置と第２の位置との間で制御可能に移動させるために、バルブピンを移動するように構成される、請求項２７に記載の流体検査システム。
【請求項２９】
さらにダイヤフラムおよびダイヤフラムピンを備え、カムシャフトは、流体試料が流体移送領域の流体チャネルを通して流れることを妨げるためにダイヤフラムに向けてダイヤフラムピンを移動し、また流体試料が流体チャネルを通して流れることを可能にするためにダイヤフラムから離れる方向にダイヤフラムピンを移動するように構成される、請求項２８に記載の流体検査システム。
【請求項３０】
二次流体経路指定部分が、さらにセンサインデクサを備え、該センサインデクサは、複数のオフライン検査センサを支持するカルーセルを回転する、請求項１に記載の流体検査システム。
【請求項３１】
二次流体経路指定部分が、複数のオフライン検査センサを制御可能に加熱するヒータをさらに備える、請求項３０に記載の流体検査システム。
【請求項３２】
二次流体経路指定部分が、複数のオフライン検査センサの温度を監視するサーミスタをさらに備える、請求項３１に記載の流体検査システム。
【請求項３３】
ハウジングを患者に取り付けための部材が、ストラップを備える、請求項２６に記載の流体検査システム。
【請求項３４】
ハウジングを患者に取り付けるステップをさらに含む、請求項１４に記載の方法。
【請求項３５】
ハウジングが、ストラップを用いて患者に取り付けられる、請求項１４に記載の方法。
【請求項３６】
ハウジングの一次流体経路指定部分アクセスドアを開くことによってインライン検査領域にアクセスするステップをさらに含む、請求項１４に記載の方法。
【請求項３７】
ハウジングの二次流体経路指定部分アクセスドアを開くことによって一次流体経路指定部分を破壊することなくオフライン検査部分にアクセスするステップをさらに含む、請求項１４に記載の方法。
【請求項３８】
一次流体経路指定部分、ポンプ領域、流体移送領域、インライン検査領域、または二次流体経路指定部分の少なくとも１つを配置するステップをさらに含む、請求項１４に記載の方法。